(57)【要約】      （修正有）【課題】簡易な構成の装置を用いて患部を観測できるようにする。【解決手段】照明スタンド１は、スタンド部２に取り付けられた腕部３の先端の照明部４で照明を行う。スタンド部２は、支持台２１と、支持台２１から上方に延びた支柱２２とを備えている。照明部４は、アルミニウム製の略四角ブロック体からなる本体の備える収容室に照明装置を収容して構成されている。本体の上部には、複数の放熱板４１が設けられている。照明装置は、４６０ｎｍ〜４７０ｎｍの波長の光を発光する青色ＬＥＤを光源としている。照明装置５は、所定周波数でＬＥＤを点滅させてフラッシングを行う。【選択図】図１
2010227184.tif 000002
【特許請求の範囲】
【請求項１】
載置面上を移動可能に構成された支持台と、
前記支持台から上方に延びた支柱と、
屈伸可能な関節部を備えて前記支柱に支持された腕部と、
前記腕部の備える取付部に揺動可能に支持された照明部と、
前記照明部と一体に移動する操作部材とを備え、
前記照明部は、ＬＥＤを光源として照明を行うことを特徴とする照明スタンド。
【請求項２】
前記照明部は、金属製のブロック体からなる本体と、
前記本体の一面に開口して前記ＬＥＤを収容する収容室と、
前記本体に備えられた放熱部とを備えることを特徴とする請求項１に記載の照明スタンド。
【請求項３】
前記操作部材は、棒状を呈しており、前記照明部による照明方向にその軸心を沿わせて、前記照明部から延びていることを特徴とする請求項１又は２に記載の照明スタンド。
【発明の詳細な説明】
【技術分野】
【０００１】
本発明は、手術等の際に患部を照明するための照明スタンドに関する。
【背景技術】
【０００２】
下記の特許文献１には、手術用立体顕微鏡装置が開示されている。この手術用立体顕微鏡装置は、関節を備えたアームを支柱で支持し、アームの先端に微動装置を取り付けて構成されている。微動装置には、顕微鏡が吊り下げられている。顕微鏡は、フットスイッチの操作で微動装置により水平方向に微動される。
【先行技術文献】
【特許文献】
【０００３】
【特許文献１】特開２００３−６２００３号公報
【発明の概要】
【発明が解決しようとする課題】
【０００４】
上記特許文献１に記載の手術用立体顕微鏡装置は、顕微鏡と、顕微鏡を操作するための微動装置及びフットスイッチを備えることから、装置が大きく高額であった。手術には、アクリジンオレンジを蛍光させ、これをフィルタを通して見ることで、顕微鏡を用いることなく患部を見分けながら行われるものがある。この種の手術では、上記特許文献１に記載の手術用立体顕微鏡装置のような大型で高額な装置ではなく、アクリジンオレンジの蛍光用の光源のみを備えた簡易な装置が望まれていた。
【０００５】
本発明は斯かる課題に鑑みてなされたもので、上記課題を解決できる照明スタンドを提供することを目的とする。
【課題を解決するための手段】
【０００６】
このような課題を解決するために、本発明の照明スタンドは、載置面上を移動可能に構成された支持台と、前記支持台から上方に延びた支柱と、屈伸可能な関節部を備えて前記支柱に支持された腕部と、前記腕部の備える取付部に揺動可能に支持された照明部と、前記照明部と一体に移動する操作部材とを備え、前記照明部が、ＬＥＤを光源として照明を行うことを特徴とする。
また、本発明は、前記照明部が、金属製のブロック体からなる本体と、前記本体の一面に開口して前記ＬＥＤを収容する収容室と、前記本体に備えられた放熱部とを備えることを特徴とする。
また、本発明は、前記操作部材が、棒状を呈しており、前記照明部による照明方向にその軸心を沿わせて、前記照明部から延びていることを特徴とする。
【発明の効果】
【０００７】
本発明によれば、支持台から上方に延びた支柱で関節を備える腕部を支持し、この腕部で照明部を支持するという簡単な構成で、患部に対してＬＥＤで様々な角度から照明し、アクリジンオレンジを用いた患部の観測を行うことができる。
【図面の簡単な説明】
【０００８】
【図１】本発明の一実施形態の照明スタンドの構成の概略を示す斜視図である。
【図２】照明スタンドのスタンド部が備えるハンドル部を拡大して示す斜視図である。
【図３】スタンド部への腕部の取付方法を説明する図である。
【図４】腕部の動作を説明する図である。
【図５】腕部への照明部の取付状態を示す斜視図である。
【図６】照明部を示す図であり、（ａ）は正面図，（ｂ）は側面図である。
【図７】ハンドル部に備えられた操作ボックスを示す正面図である。
【発明を実施するための形態】
【０００９】
以下、図面を参照して、本発明の最良の形態を説明する。図１は、本実施形態の照明スタンド１の構成の概略を示す斜視図である。図２は、照明スタンド１のスタンド部２が備えるハンドル部２３を拡大して示す斜視図である。図３は、ハンドル部２３への腕部３の取付方法を説明する図である。図４は、腕部３の動作を説明する図である。図５は、腕部３への照明部４の取付状態を示す斜視図である。
【００１０】
図１に示す照明スタンド１は、手術等の際に患部を照明するためのものであり、スタンド部２に取り付けられた腕部３の先端の照明部４で照明を行う。スタンド部２は、複数の脚部２１１をそれぞれ車輪２１２で支持して構成される支持台２１と、支持台２１から上方に延びた支柱２２と、支柱２２に固着されて腕部３を支持するハンドル部２３とを備えており、各車輪２１２が転動して載置面上を移動することで、図１（ａ）に示すように腕部３を支柱２２の右側に向けたり、図１（ｂ）に示すように支柱２２の左側に向けたりできる。
【００１１】
図２に拡大して示すように、ハンドル部２３は、略Ｌ字状の枠体２３２の両端間に円弧状の把持部２３３を掛け渡した概略形状を有しており、枠体２３２の屈曲部分の内側に備えられた固定筒体２３１と、固定筒体２３１の屈曲部分の外側から固定筒体２３１の内側までを貫通する固定孔２３１ａとを備えている。
【００１２】
ハンドル部２３は、枠体２３２の屈曲部分の内側に備えられた固定筒体２３１に支柱２２を挿通させ、固定ネジ部材２４の備える摘み部２４１の操作で、固定孔２３１ａを挿通した雄ネジ部２４２の先端が、支柱２２に形成されたネジ孔（不図示）に螺着されることで、支柱２２に固着される。雄ネジ部２４２を螺着させる支柱２２のネジ孔を選択することで、支柱２２に対するハンドル部２３の上下の取付位置が定められる。
【００１３】
図３に示すように、枠体２３２の一辺部には、腕部３を取り付けるための挟持ブロック２５が設けられている。挟持ブロック２５は、枠体２３２に取り付けられる固定体２５１に嵌合体２５２を嵌め合わせて構成されている。固定体２５１は、四角ブロック体の両側の端部から略四角ブロック状の固定部を延出させ、一主面に上端から下端にかけて半円形の断面形状を有して延びる凹部２５１ａを形成した概略形状を有している。固定体２５１は、他主面を枠体２３２の外面に合わせて両側の固定部を枠体２３２にネジ止めされ、凹部２５１ａが上下方向に延びて配置されるように取り付けられる。
【００１４】
嵌合体２５２は、四角ブロック体の一主面に上端から下端にかけて半円形の断面形状を有して延びる凹部２５２ａを形成した概略形状を有している。嵌合体２５２は、固定体２５１と主面同士を合わせ、固定体２５１の凹部２５１ａと凹部２５２ａとが組み合わされて円形の断面形状を有する挿通孔２５ａを形成するように、固定体２５１にネジ止めされて取り付けられる。
【００１５】
挟持ブロック２５の挿通孔２５ａには、後述する腕部３の基部３１から延出した固定パイプ３０が上側から挿通される。挿通孔２５ａに挿通された固定パイプ３０は、固定パイプ３０を貫通する貫通孔３０ａにピン２６を挿通されて取り付けられることで、挟持ブロック２５に固定される。
【００１６】
図４に示すように、腕部３は、長さ方向の両端部を基部３１及び関節部３３にそれぞれ軸支されたパイプ部３２と、長さ方向の両端部を関節部３３，３５にそれぞれ軸支されたパイプ部３４とを備えており、図３を用いて上述したように、基部３１から延出した固定パイプ３０を挟持ブロック２５を介してハンドル部２３に固定されている。
【００１７】
パイプ部３２は、引っ張りバネ３２ａによって基部３１側へ向けた付勢力を付与されて、基部３１に対する回動位置を維持される。パイプ部３４は、引っ張りバネ３４ａによって関節部３３側へ向けた付勢力を付与されて、関節部３３に対する回動位置を維持される。
【００１８】
図５に拡大して示すように、関節部３５には、取付軸部３６が軸支されており、取付軸部３６には照明部４及び操作部６が取り付けられている。操作部６は丸棒状を呈しており、取付片３７を介して取付軸部３６に取り付けられ、照明部４による照明方向にその軸心を沿わせて延びている。取付片３７は、照明部４と取付軸部３６との間に介装されて照明部４にネジ止めされる。
【００１９】
このようにして構成される腕部３は、図４（ａ）に示すようにパイプ部３４をパイプ部３２に対して屈曲させた状態と、図４（ｂ）に示すように伸長させた状態との間で関節部３３を支点として回動させ、パイプ部３２を図４（ｂ）に示すように支柱２２に直交する方向を向いた状態と、図４（ｃ）に示すように支柱２２に沿った方向を向いた状態との間で、基部３１を支点として回動させる。また、関節部３５を支点として取付軸部３６を揺動させる。
【００２０】
図６は、照明部４を示す図であり、（ａ）は正面図，（ｂ）は側面図である。図７は、ハンドル部２３に備えられた操作ボックス７を示す正面図である。
【００２１】
照明部４は、アルミニウム製の略四角ブロック体からなる本体４０の備える収容室４２に照明装置５を収容して構成されている。本体４０の上部には、複数の放熱板４１が設けられている。放熱板４１は、本体４０の周方向に沿って延びる環状の溝４０ａを、上下方向に複数配設することによって形成されている。
【００２２】
収容室４２は、本体４０の下面から上方に向けて延びており、円形の開口形状を有している。収容室４２の内側面には、本体４０の外側面まで貫通する貫通孔４３が形成されている。貫通孔４３には、後述する照明装置５の基板５１に接続されるケーブルＣが挿通される。
【００２３】
照明装置５は、ＬＥＤ５２を下面に搭載した基板５１と、基板５１の下面からＬＥＤ５２の周囲にすり鉢状に延びた反射板５３と、反射板５３の下縁から拡径して下方に円筒状に延びた反射枠５４とを備えており、収容室４２の平坦な上側内面に基板５１を固定されている。ＬＥＤ５２は、４６０ｎｍ〜４７０ｎｍの波長の光を発光する青色ＬＥＤである。
【００２４】
ＬＥＤ５２を点灯させる駆動回路は、図７に示す操作ボックス７に収容されて照明装置５を構成する。操作ボックス７は、ハンドル部２３の枠体２３２に取り付けられており、電源のオン・オフを切り替える「ＰＯＷＥＲ」スイッチ７１と、フラッシュのオン・オフを切り替える「ＦＬＡＳＨ」スイッチ７２と、フラッシュの周波数を定めるボリューム７３とを備えている。スイッチ７１，７２は、トグルスイッチであり、レバー操作によりオン・オフの切り替えが行われる。
【００２５】
照明装置５は、周波数１〜８０Ｈｚの何れかでデューティー比５０％のフラッシング、又は、直流点灯を行う。フラッシングの周波数は、ボリューム７３の操作に応じて、５００ｍｓを基準とする２．５ｍｓの分解能で定められる。
【００２６】
照明スタンド１を用いた腫瘍観測方法の一例を説明する。この腫瘍観測は、腫瘍を取り除く際等に行われる。まず、アクリジンオレンジを術野に満たしてから吸引し、照明スタンド１の照明部４からＬＥＤ５２の励起光でフラッシングを行い、術野を照明する。次に、５２０ｎｍ〜５６０ｎｍ以上の波長の光を透過するフィルターを通して術野を見る。すると、腫瘍部分に吸収されたアクリジンオレンジが蛍光していることから、腫瘍部分が青緑色に見え、アクリジンオレンジの吸収されていない正常細胞と区別ができる。このようにして腫瘍部分を正常細胞と区別した後、直流点灯で腫瘍部分の詳細な観察を行うことができる。
【００２７】
本実施形態によれば、支持台２１から上方に延びた支柱２２で関節を備える腕部３を支持し、この腕部３で照明部４を支持するという簡単な構成で、患部に対して青色ＬＥＤ５２で様々な角度から照明し、蛍光したアクリジンオレンジを観測できる。このため、大型で高額な装置を用いることなく、アクリジンオレンジを用いた患部の観測ができる。
【００２８】
また、本実施形態によれば、周波数１〜８０Ｈｚの何れかでＬＥＤ５２をフラッシングさせることで、アクリジンオレンジの蛍光に時間的に明暗を持たせ、点滅している特定部分に意識を向け易いという人間の特性を利用して、アクリジンオレンジの蛍光をより見易くできる。
【００２９】
上記実施形態では、複数の脚部２１１を車輪２１２で支持して、支持台２１が構成されている場合について説明したが、載置面上を移動可能であるのならば、支持台２１の構成は任意である。例えば、平板体を車輪で支持して支持台を構成してもよい。
【００３０】
また、支柱２２は、下端から上端にかけて直線状に延びているものに限られず、例えば、湾曲部や屈曲部を備えていてもよい。また、腕部３は、ハンドル部２３ではなく支柱２２に直接取り付けられていてもよい。ハンドル部２３の形状は任意であり、また、ハンドル部２３を備えない構成としてもよい。
【００３１】
ハンドル部２３の取付方法は任意であり、支柱２２に対する上下方向の取付位置を選択できない構成としてもよい。ハンドル部２３へ腕部３を取り付けるための挟持ブロック２５の構成は任意である。例えば、固定片２５１と嵌合片２５２とを嵌め合わせる構成ではなく、両者が一体に形成されていてもよい。
【００３２】
照明装置５が備える駆動回路の構成は、フラッシング及び直流点灯の何れかを操作ボックス７での操作で選択して行えるのであれば任意であり、上記実施形態での構成には限定されない。
【符号の説明】
【００３３】
１          照明スタンド
２          スタンド部
２１        支持台
２２        支柱
３          腕部
４          照明部
４０        本体
４１        放熱板
４２        収容室
５          照明装置
５１        基板
５２        ＬＥＤ
６          操作部
７          操作ボックス
７１，７２  スイッチ
７３        ボリューム
【図１】
2010227184.tif 000003
【図２】
2010227184.tif 000004
【図３】
2010227184.tif 000005
【図４】
2010227184.tif 000006
【図５】
2010227184.tif 000007
【図６】
2010227184.tif 000008
【図７】
2010227184.tif 000009